(57)【要約】      （修正有）【課題】ラベルが所定位置からずれて貼付された貼付不良品を検知することができるシート貼付装置を提供する。【解決手段】シート貼付装置ＥＡは、被着体ＷＫに接着シートＡＳを貼付する貼付機構１０と、被着体に対して所定の移動方向に相対移動し、被着体に貼付された接着シートの貼付位置を検知する検知機構２０とを備え、検知機構は、被着体を検知する第１検知機器２１と、接着シートを検知する第２検知機器２２と、第１検知機器が被着体を検知した時間と第２検知機器が接着シートを検知した時間とから、被着体に貼付された接着シートの位置を検知する貼付位置検知機器２３とを備える。【選択図】図１
0003230322.tif 000002
【実用新案登録請求の範囲】
【請求項１】
被着体に接着シートを貼付する貼付機構と、
前記被着体に対して所定の移動方向に相対移動し、当該被着体に貼付された前記接着シートの貼付位置を検知する検知機構とを備え、
前記検知機構は、
前記被着体を検知する第１検知機器と、
前記接着シートを検知する第２検知機器と、
前記第１検知機器が前記被着体を検知した時間と前記第２検知機器が前記接着シートを検知した時間とから、前記被着体に貼付された前記接着シートの位置を検知する貼付位置検知機器とを備えていることを特徴とするシート貼付装置。
【請求項２】
前記貼付機構は、前記移動方向に交差する方向に前記接着シートの一部が前記被着体からはみだしたはみ出し部が形成されるように、当該接着シートを前記被着体に貼付し、
前記第２検知機器は、前記接着シートの前記はみ出し部を検知することを特徴とする請求項１に記載のシート貼付装置。
【考案の詳細な説明】
【技術分野】
【０００１】
本考案は、シート貼付装置に関する。
【背景技術】
【０００２】
被着体に接着シートが貼付されたことを検出可能なシート貼付装置が知られている（例えば、特許文献１参照）。
【先行技術文献】
【特許文献】
【０００３】
【特許文献１】特開平６−１２７５４１号公報
【考案の概要】
【考案が解決しようとする課題】
【０００４】
特許文献１に記載された搬送システム（シート貼付装置）では、ラベルＲ（接着シート）が所定の位置からずれて荷物Ｗ（被着体）に貼付された貼付不良品が形成されたことを認識することができないという不都合がある。
【０００５】
本考案の目的は、貼付不良品が形成されたことを認識することができるシート貼付装置を提供することにある。
【課題を解決するための手段】
【０００６】
本考案は、請求項に記載した構成を採用した。
【考案の効果】
【０００７】
本考案によれば、第１検知機器が被着体を検知した時間と第２検知機器が接着シートを検知した時間とから、被着体に貼付された接着シートの位置を検知するので、貼付不良品が形成されたことを認識することができる。
【図面の簡単な説明】
【０００８】
【図１】本考案の一実施形態に係るシート貼付装置の説明図。
【考案を実施するための形態】
【０００９】
以下、本考案の一実施形態を図面に基づいて説明する。
なお、本実施形態におけるＸ軸、Ｙ軸、Ｚ軸は、それぞれが直交する関係にあり、Ｘ軸およびＹ軸は、所定平面内の軸とし、Ｚ軸は、前記所定平面に直交する軸とする。さらに、本実施形態では、Ｙ軸と平行な図１（Ｂ）の手前方向から観た場合を基準とし、方向を示した場合、「上」がＺ軸の矢印方向で「下」がその逆方向、「左」がＸ軸の矢印方向で「右」がその逆方向、「前」がＹ軸の矢印方向で「後」がその逆方向とする。
【００１０】
本考案のシート貼付装置ＥＡは、被着体ＷＫに接着シートＡＳを貼付する貼付機構１０と、被着体ＷＫに対して所定の移動方向ＴＤに相対移動し、当該被着体ＷＫに貼付された接着シートＡＳの貼付位置を検知する検知機構２０とを備え、被着体ＷＫを搬送する移動機構３０の近傍に配置されている。
【００１１】
貼付機構１０は、剥離シートＲＬの一方の面に接着シートＡＳが仮着された原反ＲＳを支持する支持ローラ１１と、原反ＲＳを案内するガイドローラ１２と、剥離縁１３Ａで剥離シートＲＬを折り返し、当該剥離シートＲＬから接着シートＡＳを剥離する剥離部材としての剥離板１３と、被着体ＷＫに接着シートＡＳを押圧して貼付する押圧機構１４と、駆動機器としての回動モータ１５Ａの図示しない出力軸に支持され、ピンチローラ１５Ｂとで剥離シートＲＬを挟み込む駆動ローラ１５と、図示しない駆動機器の出力軸に支持され、シート貼付装置ＥＡの自動運転が行われている間、ピンチローラ１５Ｂとの間に存在する剥離シートＲＬに常に所定の張力を付与し、当該剥離シートＲＬを回収する回収機構としての回収ローラ１６とを備え、移動方向ＴＤに交差する方向としての上方に接着シートＡＳの一部が被着体ＷＫからはみだしたはみ出し部ＡＳ１が形成されるように、当該接着シートＡＳを被着体ＷＫに貼付する構成となっている。
押圧機構１４は、駆動機器としての直動モータ１４Ａの出力軸１４Ｂに支持され、減圧ポンプや真空エジェクタ等の図示しない減圧機構（保持機構）で吸着保持が可能な保持面１４Ｃを有する押圧部材１４Ｄを備えている。
【００１２】
検知機構２０は、被着体ＷＫを検知する第１検知機器２１と、接着シートＡＳを検知する第２検知機器２２と、第１検知機器２１が被着体ＷＫを検知した時間と第２検知機器２２が接着シートＡＳを検知した時間とから、被着体ＷＫに貼付された接着シートＡＳの位置を検知するパーソナルコンピュータやシーケンサ等の貼付位置検知機器２３とを備えている。
本実施形態の場合、第１、第２検知機器２１、２２は、カメラや投影機等の撮像機器や、光学センサや超音波センサ等の各種センサ等で構成され、第２検知機器２２は、接着シートＡＳのはみ出し部ＡＳ１を検知するように構成されている。また、貼付位置検知機器２３は、貼付不良品が形成されたことを認識すると、表示器やスピーカ等の図示しない警告機器に信号を出力し、当該図示しない警告機器が画面表示やブザー等の警告シグナルを発して、貼付不良品が形成されたことを使用者に伝える構成となっている。
【００１３】
移動機構３０は、被着体ＷＫを搬送するベルトコンベアやローラコンベア等のコンベア３１を備えている。
【００１４】
以上のシート貼付装置ＥＡの動作を説明する。
先ず、図１（Ａ）中実線で示す初期位置に各部材が配置されたシート貼付装置ＥＡに対し、当該シート貼付装置ＥＡの使用者（以下、単に「使用者」という）が同図のように原反ＲＳをセットした後、図示しない操作パネルやパーソナルコンピュータ等の操作機構を介して自動運転開始の信号を入力する。すると、貼付機構１０が回動モータ１５Ａを駆動し、原反ＲＳを繰り出し、先頭の接着シートＡＳの繰出方向先端部が剥離板１３の剥離縁１３Ａ近傍の所定位置に到達すると、回動モータ１５Ａの駆動を停止する。
【００１５】
次いで、移動機構３０がコンベア３１を駆動し、被着体ＷＫを移動方向ＴＤに搬送し、当該被着体ＷＫがシート貼付装置ＥＡに対する所定位置に到達すると、貼付機構１０が回動モータ１５Ａおよび図示しない減圧機構を駆動し、原反ＲＳを繰り出して、剥離板１３で剥離した先頭の接着シートＡＳを保持面１４Ｃで吸着保持した後、当該先頭のＡＳに続く次のＡＳの繰出方向先端部が剥離板１３の剥離縁１３Ａ近傍の所定位置に到達すると、回動モータ１５Ａの駆動を停止する。その後、被着体ＷＫが押圧部材１４Ｄの後方所定位置に到達すると、移動機構３０がコンベア３１の駆動を停止した後、貼付機構１０が直動モータ１４Ａを駆動し、図１（Ａ）中二点鎖線で示すように、押圧部材１４Ｄを後方に移動させ、はみ出し部ＡＳ１が形成されるように接着シートＡＳを被着体ＷＫに押圧して貼付する。次に、貼付機構１０が図示しない減圧機構の駆動を停止し、保持面１４Ｃでの接着シートＡＳの吸着保持を解除した後、直動モータ１４Ａを駆動し、押圧部材１４Ｄを初期位置に復帰させる。
【００１６】
そして、移動機構３０がコンベア３１を駆動し、接着シートＡＳが貼付された被着体ＷＫを移動方向ＴＤに搬送する。次いで、被着体ＷＫの右端部が第１検知機器２１の後方を通過した時点で、当該第１検知機器２１が被着体ＷＫの検知を開始し、当該被着体ＷＫの左端部が第１検知機器２１の後方を通過した時点で、当該第１検知機器２１が被着体ＷＫの検知を完了する。一方、はみ出し部ＡＳ１の右端部が第２検知機器２２の後方を通過した時点で、当該第２検知機器２２が接着シートＡＳの検知を開始し、当該はみ出し部ＡＳ１の左端部が第２検知機器２２の後方を通過した時点で、当該第２検知機器２２が接着シートＡＳの検知を完了する。これに対し、貼付位置検知機器２３は、第１検知機器２１が被着体ＷＫの検知を開始した時間から、所定の第１時間が経過した後の所定の第２時間内で、第２検知機器２２が接着シートＡＳの検知を開始した場合、接着シートＡＳが被着体ＷＫの所定の位置に貼付されたと認識する。その後、貼付位置検知機器２３によって、接着シートＡＳが所定の位置に貼付されたことが認識された被着体ＷＫは、コンベア３１の搬送によって次工程に搬送され、以降上記同様の動作が繰り返される。
【００１７】
ここで、第１検知機器２１が被着体ＷＫの検知を開始した時間から、所定の第１時間が経過する前に、第２検知機器２２が接着シートＡＳの検知を開始した場合や、第１検知機器２１が被着体ＷＫの検知を開始した時間から、所定の第１時間が経過した後、所定の第２時間が経過しても第２検知機器２２が接着シートＡＳの検知を開始しなかった場合、貼付位置検知機器２３は、貼付不良品が形成されたと認識する。このように、貼付不良品が形成されたことを貼付位置検知機器２３が検知すると、当該貼付位置検知機器２３が図示しない警告機器に信号を出力し、当該警告機器が警告シグナルを発して、貼付不良品が形成されたことを使用者に伝え、当該使用者が貼付不良品をコンベア３１上から排除する。
【００１８】
以上のような実施形態によれば、第１検知機器２１が被着体ＷＫを検知した時間と第２検知機器２２が接着シートＡＳを検知した時間とから、被着体ＷＫに貼付された接着シートＡＳの位置を検知するので、貼付不良品が形成されたことを認識することができる。
【００１９】
以上のように、本考案を実施するための最良の構成、方法等は、前記記載で開示されているが、本考案は、これに限定されるものではない。すなわち、本考案は、主に特定の実施形態に関して特に図示され、かつ説明されているが、本考案の技術的思想および目的の範囲から逸脱することなく、以上述べた実施形態に対し、形状、材質、数量、その他の詳細な構成において、当業者が様々な変形を加えることができるものである。また、上記に開示した形状、材質などを限定した記載は、本考案の理解を容易にするために例示的に記載したものであり、本考案を限定するものではないから、それらの形状、材質などの限定の一部もしくは全部の限定を外した部材の名称での記載は、本考案に含まれる。
【００２０】
例えば、貼付機構１０は、押圧機構１４の代わりに押圧ローラを採用し、被着体ＷＫとの相対移動に合わせて接着シートＡＳを繰り出し、当該接着シートＡＳを押圧ローラで被着体ＷＫに押圧して貼付する構成（例えば、特開２０１９−１１７８３４号の実施形態で例示された構成のもの等）であってもよいし、保持面１４Ｃで吸着保持した接着シートＡＳをエアの勢いで吹き飛ばす所謂エアジェットで当該接着シートＡＳを被着体ＷＫに貼付してもよいし、接着シートＡＳを被着体ＷＫの前側面、後側面、左側面、右側面または上面に貼付してもよいし、接着シートＡＳの一部が被着体ＷＫから下方、左方、右方、前方または後方にはみだしたはみ出し部ＡＳ１が形成されるように、当該接着シートＡＳを被着体ＷＫに貼付してもよいし、接着シートＡＳの一部が被着体ＷＫからはみ出さないように当該接着シートＡＳを被着体ＷＫに貼付してもよいし、剥離シートＲＬに仮着された帯状の接着シート基材に閉ループ状または短寸幅方向全体の切込が形成されることで、その切込で仕切られた所定の領域が接着シートＡＳとされた原反を繰り出してもよいし、帯状の接着シート基材が剥離シートＲＬに仮着された原反を採用し、接着シート基材に閉ループ状または短寸幅方向全体の切込を切断機構で形成し、その切込で仕切られた所定の領域を接着シートＡＳとしてもよいし、支持ローラ１１やガイドローラ１２等の各ローラの代わりに板状部材やシャフト部材等で原反ＲＳや剥離シートＲＬを支持したり案内したりしてもよいし、原反ＲＳを巻回することなく例えばファンフォールド折りにして支持してもよいし、剥離シートＲＬを巻回することなくファンフォールド折りにしたり、シュレッダ等で切り刻んだり、無造作に集積したりして剥離シートＲＬを回収する回収機構を採用してもよいし、回収機構を採用しなくてもよい。
【００２１】
検知機構２０は、第１検知機器２１が被着体ＷＫの検知を開始した時間から、所定の第３時間が経過する前に、第２検知機器２２が接着シートＡＳの検知を完了した場合や、第１検知機器２１が被着体ＷＫの検知を開始した時間から、所定の第３時間が経過した後、所定の第４時間が経過しても第２検知機器２２が接着シートＡＳの検知を完了しなかった場合、貼付不良品が形成されたと貼付位置検知機器２３が認識する構成でもよいし、第２検知機器２２が接着シートＡＳの検知を開始した時間から、所定の第５時間が経過する前に、第１検知機器２１が被着体ＷＫの検知を完了した場合や、第２検知機器２２が接着シートＡＳの検知を開始した時間から、所定の第５時間が経過した後、所定の第６時間が経過しても第１検知機器２１が被着体ＷＫの検知を完了しなかった場合、貼付不良品が形成されたと貼付位置検知機器２３が認識する構成でもよいし、第２検知機器２２が接着シートＡＳの検知を完了した時間から、所定の第７時間が経過する前に、第１検知機器２１が被着体ＷＫの検知を完了した場合や、第２検知機器２２が接着シートＡＳの検知を完了した時間から、所定の第７時間が経過した後、所定の第８時間が経過しても第１検知機器２１が被着体ＷＫの検知を完了しなかった場合、貼付不良品が形成されたと貼付位置検知機器２３が認識する構成でもよいし、被着体ＷＫからはみ出していない接着シートＡＳ部分を第２検知機器２２で検知してもよいし、被着体ＷＫとの相対移動により被着体ＷＫおよび接着シートＡＳを検知できる位置であれば、第１、第２検知機器２１、２２を互いに上下方向、左右方向、前後方向またはこれらのうちの少なくとも１方向に交わる方向に並べて配置したり、第１、第２検知機器２１、２２を移動機構３０の前方、後方、上方または下方等の任意の位置に配置したりしてもよいし、被着体ＷＫの検知と、接着シートＡＳの検知との両方が可能なカメラや撮影機等の撮像機構や、光学センサや超音波センサ等の各種センサ等で構成された単一の検知機器を第１検知機器２１および第２検知機器２２として採用してもよいし、貼付不良品の進路を変更するガイドバーを移動させる駆動機器や、貼付不良品を取り除く多関節ロボット等のリジェクト機器に信号を出力するように貼付位置検知機器２３を構成し、当該駆動機器やリジェクト機器によって貼付不良品をコンベア３１上から排除するようにしてもよいし、コンベア３１に信号を出力するように貼付位置検知機器２３を構成し、当該コンベア３１の駆動を停止して貼付不良品をコンベア３１上から排除するようにしてもよい。
第１〜第８時間は、被着体ＷＫに対する接着シートＡＳの貼付位置、移動機構３０による被着体ＷＫの移動速度、被着体ＷＫや接着シートＡＳの寸法誤差、第１、第２検知機器２１、２２の検知時間誤差等を考慮して、使用者が任意に設定することができる。
【００２２】
移動機構３０は、コンベア３１に代えてまたは併用して、多関節ロボット等の駆動機器で被着体ＷＫを移動してもよいし、被着体ＷＫを移動させずにまたは移動させつつ、検知機構２０を移動させてもよいし、本考案のシート貼付装置ＥＡに備わっていてもよいし、備わっていなくてもよく、備わっていない場合、他の装置で被着体ＷＫと検知機構２０とを相対移動させればよいし、接着シートＡＳを被着体ＷＫに貼付する際、コンベア３１の駆動を停止しなくてもよい。
【００２３】
本考案における機構および工程は、それら機構および工程について説明した動作、機能または工程を果たすことができる限りなんら限定されることはなく、まして、前記実施形態で示した単なる一実施形態の構成物や工程に全く限定されることはない。例えば、貼付機構は、被着体に接着シートを貼付可能なものであればどのようなものでもよく、出願当初の技術常識に照らし合わせてその技術範囲内のものであればなんら限定されることはない（その他の機構および工程も同じ）。
【００２４】
接着シートＡＳおよび被着体ＷＫの材質、種別、形状等は、特に限定されることはない。例えば、接着シートＡＳおよび被着体ＷＫは、円形、楕円形、三角形や四角形等の多角形、その他の形状であってもよいし、接着シートＡＳは、感圧接着性、感熱接着性等の接着形態のものであってもよく、感熱接着性のものが採用された場合は、該当するシートを加熱する適宜なコイルヒータやヒートパイプの加熱側等の加熱機構を設けるといった適宜な方法で接着されればよい。また、このような接着シートＡＳは、例えば、接着剤層だけの単層のもの、基材と接着剤層との間に中間層を有するもの、基材の上面にカバー層を有する等３層以上のもの、さらには、基材を接着剤層から剥離することのできる所謂両面接着シートのようなものであってもよく、両面接着シートは、単層又は複層の中間層を有するものや、中間層のない単層又は複層のものであってよい。また、被着体ＷＫとしては、例えば、食品、樹脂容器、シリコン半導体ウエハや化合物半導体ウエハ等の半導体ウエハ、回路基板、光ディスク等の情報記録基板、ガラス板、鋼板、陶器、木板または樹脂等の単体物であってもよいし、それら２つ以上で形成された複合物であってもよく、任意の形態の部材や物品なども対象とすることができる。なお、接着シートＡＳは、機能的、用途的な読み方に換え、例えば、情報記載用ラベル、装飾用ラベル、保護シート、ダイシングテープ、ダイアタッチフィルム、ダイボンディングテープ、記録層形成樹脂シート等の任意のシート、フィルム、テープ等でもよい。
【００２５】
前記実施形態における駆動機器は、回動モータ、直動モータ、リニアモータ、単軸ロボット、２軸または３軸以上の関節を備えた多関節ロボット等の電動機器、エアシリンダ、油圧シリンダ、ロッドレスシリンダおよびロータリシリンダ等のアクチュエータ等を採用することができる上、それらを直接的又は間接的に組み合せたものを採用することもできる。
前記実施形態において、ローラ等の回転部材が採用されている場合、当該回転部材を回転駆動させる駆動機器を備えてもよいし、回転部材の表面や回転部材自体をゴムや樹脂等の変形可能な部材で構成してもよいし、回転部材の表面や回転部材自体を変形しない部材で構成してもよいし、ローラの代わりに回転するまたは回転しないシャフトやブレード等の他の部材を採用してもよいし、押圧ローラや押圧ヘッド等の押圧機構や押圧部材といった被押圧物を押圧するものが採用されている場合、上記で例示したものに代えてまたは併用して、ローラ、丸棒、ブレード材、ブラシ状部材の他、大気やガス等の気体の吹き付けによるものを採用してもよいし、押圧するものをゴム、樹脂、スポンジ等の変形可能な部材で構成してもよいし、金属や樹脂等の変形しない部材で構成してもよいし、剥離板や剥離ローラ等の剥離機構や剥離部材といった被剥離物を剥離するものが採用されている場合、上記で例示したものに代えてまたは併用して、板状部材、丸棒、ローラ等の部材を採用してもよいし、剥離するものをゴムや樹脂等の変形可能な部材で構成してもよいし、変形しない部材で構成してもよいし、支持（保持）機構や支持（保持）部材等の被支持部材（被保持部材）を支持（保持）するものが採用されている場合、メカチャックやチャックシリンダ等の把持機構、クーロン力、接着剤（接着シート、接着テープ）、粘着剤（粘着シート、粘着テープ）、磁力、ベルヌーイ吸着、吸引吸着、駆動機器等で被支持部材を支持（保持）する構成を採用してもよいし、切断機構や切断部材等の被切断部材を切断または、被切断部材に切込や切断線を形成するものが採用されている場合、上記で例示したものに代えてまたは併用して、カッター刃、レーザカッタ、イオンビーム、火力、熱、水圧、電熱線、気体や液体等の吹付け等で切断するものを採用したり、適宜な駆動機器を組み合わせたもので切断するものを移動させて切断するようにしたりしてもよい。
【符号の説明】
【００２６】
ＥＡ…シート貼付装置
１０…貼付機構
２０…検知機構
２１…第１検知機器
２２…第２検知機器
２３…貼付位置検知機器
ＡＳ…接着シート
ＡＳ１…はみ出し部
ＴＤ…移動方向
ＷＫ…被着体
【図１】
0003230322.tif 000003